(57)【要約】      （修正有）【課題】  陰茎の大きさに係らず装着することができ、かつ容易に装着および取外すことができる男性用尿吸収具を提供する。【解決手段】  男性用尿吸収具１を、可撓性かつ液透過性の表面シート２と、前記表面シートに周縁部で接合され、可撓性かつ液不透過性の裏面シート４と、前記表面シートと、前記裏面シートとの間に介在され、フラッフ状繊維１６からなる吸収体５とを含む基材を長辺方向中央部で、前記表面シートを内側として折返し、かつ短辺方向の一側部を対向して互いに接合することによって形成する。【選択図】図１
2007159663.tif 000002
【特許請求の範囲】
【請求項１】
可撓性かつ液透過性の表面シートと、
前記表面シートに周縁部で接合され、可撓性かつ液不透過性の裏面シートと、
前記表面シートと、前記裏面シートとの間に介在され、フラッフ状繊維からなる吸収体とを含む基材を、長辺方向中央部で前記表面シートを内側として折返し、かつ短辺方向の一側部を対向して互いに接合して形成されることを特徴とする男性用尿吸収具。
【請求項２】
前記裏面シートには、装着時に着衣に貼着するための貼着手段が設けられていることを特徴とする請求項１に記載の男性用尿吸収具。
【請求項３】
前記裏面シートは、少なくとも前記接合される短辺方向の一側部とは反対側の他側部の周縁部で折返され、前記吸収体よりも前記表面シート側に位置することを特徴とする請求項１または２に記載の男性用尿吸収具。
【請求項４】
前記表面シートには、前記接合される短辺方向の一側部とは反対側の他側部の周縁部から起立するギャザーが設けられることを特徴とする請求項１〜３のいずれか１つに記載の男性用尿吸収具。
【発明の詳細な説明】
【技術分野】
【０００１】
本発明は、男性用尿吸収具に関する。
【背景技術】
【０００２】
図１３は、従来の男性用尿吸収具１０１を示す斜視図である。男性用尿吸収具１０１は、上部１０１ａから下部１０１ｂへ向って、縦長、先細りの袋状に形成される。男性用尿吸収具１０１は、男性用尿吸収具１０１を形成する不透水性の基材シート１０２と、男性用尿吸収具１０１内に設けられ、透水性の被覆シート１０３ａおよび吸収体１０３ｂからなる体液吸収パネル１０３とから構成される。男性用尿吸収具１０１には、上部１０１ａに陰茎挿入用の開口１０４が形成される。開口１０４は、前面部１０４ａと、両側面部１０４ｂ，１０４ｃに囲まれる。側面部１０４ｂには、メカニカルファスナのフック部材１０５が設けられる。
【０００３】
男性用尿吸収具１０１の使用者は、陰茎を開口１０４から男性用尿吸収具１０１内に挿入し、側面部１０４ｂ，１０４ｃを互いに重ね合わせ、側面部１０４ｂに設けられたフック部材１０５によって両側面部１０４ｂ，１０４ｃを係合させ、男性用尿吸収具１０１を装着する。このように男性用尿吸収具１０１を装着することによって、使用者が不所望に排尿した場合、排泄された尿は男性用尿吸収具１０１内に設けられた体液吸収パネル１０３に吸収される（たとえば特許文献１参照）。
【０００４】
【特許文献１】特開２００１−２０４７５５号公報
【発明の開示】
【発明が解決しようとする課題】
【０００５】
陰茎は、個人によって大きさが異なる。男性用尿吸収具１０１の構成では、陰茎が小さい場合は、開口１０４から男性用尿吸収具１０１内に挿入することができない場合があり、逆に陰茎が大きい場合は男性用尿吸収具１０１内に収納することができない場合がある。このように男性用尿吸収具１０１の構成では、陰茎の大きさによって、挿入または収納することができず、男性用尿吸収具を装着できない場合があるという問題がある。
【０００６】
また男性用尿吸収具１０１の構成では、装着時には、陰茎の大きさに合わせてメカニカルファスナを係合させ、取外し時には、メカニカルファスナの係合状態を解除する必要があり、装着時および取外し時の作業性が悪いという問題がある。
【０００７】
本発明の目的は、陰茎の大きさに係らず装着することができ、かつ容易に装着および取外すことができる男性用尿吸収具を提供することである。
【課題を解決するための手段】
【０００８】
本発明は、可撓性かつ液透過性の表面シートと、
前記表面シートに周縁部で接合され、可撓性かつ液不透過性の裏面シートと、
前記表面シートと、前記裏面シートとの間に介在され、フラッフ状繊維からなる吸収体とを含む基材を、長辺方向中央部で前記表面シートを内側として折返し、かつ短辺方向の一側部を対向して互いに接合して形成されることを特徴とする男性用尿吸収具である。
【０００９】
本発明に従えば、男性用尿吸収具は、表面シートと、表面シートに周縁部で接合される裏面シートと、表面シートと、裏面シートとの間に介在される吸収体とを含む基材を長辺方向中央部で前記表面シートを内側として折返し、かつ短辺方向の一側部が互いに対向して接合することによって形成される。これによって男性用尿吸収具は、短辺方向他側部と、長辺方向両側部が開いた状態の袋状に形成される。男性用尿吸収具は、可撓性を有する材料で形成されるので、前記長辺方向中央部と、短辺方向の一側部とが交差する点を頂点とする円錐状に変形することができる。これによって男性用尿吸収具は、短辺方向他側部と、長辺方向両側部に囲まれて形成される広い開口が形成され、表面シートに囲まれた収納空間を有する袋形状に形成される。したがって開口から陰茎および陰嚢を含む陰部全体を包みこむように収納空間に収納することができる。このように男性用尿吸収具は大きな開口を有し陰茎および陰嚢全体を包む構成であるので、陰茎の大きさに係らず確実に装着することができる。
【００１０】
また装着時に陰茎などの大きさに合わせた開口のサイズ調整の必要がないので、容易に装着することができ、また容易に取外すことができ、高い利便性を有する。
【００１１】
本発明は、前記裏面シートには、装着時に着衣に貼着するための貼着手段が設けられていることを特徴とする。
【００１２】
本発明に従えば、男性用尿吸収具を装着したときに使用者の着衣に接する裏面シートに貼着手段が設けられる。したがって着衣に男性用尿吸収具を貼付けることができるので、男性用尿吸収具の装着位置からの位置ずれを防ぐことができる。
【００１３】
本発明は、前記裏面シートは、少なくとも前記接合される短辺方向の一側部とは反対側の他側部の周縁部で折返され、前記吸収体よりも前記表面シート側に位置することを特徴とする。
【００１４】
本発明に従えば、液不透過性の裏面シートが短辺方向の他側部の周縁部で折返され、前記吸収体よりも前記表面シート側に位置する。吸収体に保持された尿が、たとえば重力によって、開口を形成する短辺方向の他側部側に移動した場合であっても、短辺方向の他側部では、液不透過性の裏面シートの間に介在する吸収体に移動した尿が保持される。これによって一旦吸収された尿が男性用尿吸収具の開口から漏出ることを防ぐことができる。
【００１５】
本発明は、前記表面シートには、前記接合される短辺方向の一側部とは反対側の他側部の周縁部から起立するギャザーが設けられることを特徴とする。
【００１６】
本発明に従えば、表面シートには、前記接合される短辺方向の一側部とは反対側の他側部の周縁部から起立するギャザーが設けられる。したがって男性用尿吸収具に尿が排出された場合に、尿は前記ギャザーによって開口付近で堰止められる。これによって、排泄直後の吸収体に吸収されていない尿が開口から漏出ることを防止することができる。
【発明の効果】
【００１７】
本発明によれば、男性用尿吸収具は、大きな開口を有し陰茎および陰嚢を含む陰部全体を包む構成であるので、陰茎の大きさに係らず確実に装着することができ、かつ装着時に陰茎などの大きさに合わせた開口のサイズ調整の必要がないので、容易に装着することができ、また容易に取外すことができ、高い利便性を有する。
【００１８】
本発明によれば、男性用尿吸収具の装着位置からの位置ずれを防ぐことができる。
本発明によれば、一旦吸収された尿が男性用尿吸収具の開口から漏出ることを防ぐことができる。
【００１９】
本発明によれば、男性用尿吸収具に尿が排出された場合に開口から尿が漏出ることを防止することができる。
【発明を実施するための最良の形態】
【００２０】
図１は、本発明の実施の一形態の男性用尿吸収具１を示す部分破断斜視図である。図２は、折畳んだ状態の男性用尿吸収具１を示す正面図である。図３は、男性用尿吸収具１の基材６を示す正面図である。男性用尿吸収具１は、男性の股間に装着され、不所望に排泄される尿を吸収するために用いられる。
【００２１】
男性用尿吸収具１は、可撓性かつ液透過性の表面シート２と、表面シート２に周縁部３で接合され、可撓性かつ液不透過性の裏面シート４と、表面シート２と、裏面シート４との間に介在され、フラッフ状繊維１６からなる吸収体５とを含む基材６を、基材６の長辺方向Ｘの中央部７で、前記表面シート２を内側として折返され、かつ短辺方向Ｙの一側部８を対向して互いに接合されて形成される。
【００２２】
男性用尿吸収具１は、基材６の一側部８が接合されて形成される接合部９と、基材６の長辺方向Ｘの両側部１０である上部１１と、基材６の長辺方向Ｘの中央部７である下部１２と、基材６の短辺方向Ｙの一側部８とは反対側の他側部１３である男性用尿吸収具１の側部（以下「吸収具他側部」という場合がある）１４とを有する。接合部９は、長手方向両端部でそれぞれ上部１１および下部１２と連なり、吸収具他側部１４は、接合部９と対向する。
【００２３】
男性用尿吸収具１の形状は、上部１１および吸収具他側部１４とで囲まれて成る開口１５が形成され、表面シート２に囲まれる陰茎および陰嚢を含む陰部を収納するための収納空間１７を有する袋形状に形成される。男性用尿吸収具１は、可撓性を有する部材で形成されているので、変形可能であり、開口１５が開いた状態、および折畳まれて開口１５が閉じた状態に変形することができる。
【００２４】
図１に示すように開口１５が開いた状態では、男性用尿吸収具１は、たとえば上部１１が接合部９の長手方向一端部４９を頂点とする三角形状に形成され、吸収具他側部１４側から見ると、略Ｕ字状に形成される。また男性用尿吸収具１は、吸収具他側部１４から、下部１２と接合部９とが交差する頂点１８にむかって、径が小さくなるような略半円錘形状に形成される。
【００２５】
また男性用尿吸収具１は、折畳まれた状態では、たとえば図２に示すように、四角形状を有する。本実施形態では、長辺と、短辺を有する長方形状に形成される。具体的には、上部１１および下部１２を短辺とし、接合部９および吸収具他側部１４を長辺とする長方形状に形成される。このような長辺と短辺とを有する長方形状に形成されるので、下部１２と、接合部９とが交差する点を頂点１８とする三角形状に折畳んだときに、吸収具他側部１４が上部１１よりも頂点１８に向って退避する。
【００２６】
また本実施形態の男性用尿吸収具１では、裏面シート４が吸収具他側部１４で、収納空間１７内方に巻込まれるように設けられる。具体的には吸収具他側部１４では、収納空間１７から男性用尿吸収具１の外方に向って、厚み方向に、表面シート２、裏面シート４、吸収体５、裏面シート４の順で積重され、さらに裏面シート４は吸収具他側部１４で、男性用尿吸収具１の外方から吸収体３を覆うように設けられる。
【００２７】
本実施形態の表面シート２および裏面シート４は、ほぼ同じ大きさをそれぞれ有し、周縁部３は、たとえばホットメルト接着剤を塗布して加圧溶着することによって接合することができる。本実施形態では、熱シールによって裏面シート４と、表面シート２とが相互に接合される。表面シート２および裏面シート４の間には吸収体５が介在される。
【００２８】
表面シート２は、可撓性かつ液透過性のシートであればよく、たとえば合成繊維および再生繊維からなる繊維シートまたは繊維ウェッブの繊維同士を物理的に交絡させて形成される不織布などを用いることができる。具体的には、表面シート２は、不織布、織布、多孔性プラスチックフィルムなどを用いて形成することができ、その構成繊維は、ポリプロピレン、ポリエチレン、ポリエステル、ナイロンなどの単繊維、またはポリエステル、ポリプロピレン、ポリエチレン、ナイロンなどの２成分以上からなる複合繊維などであり、特に、ポリエステルとポリエステルとの複合繊維、ポリエステルとポリエチレンとの複合繊維、ポリプロピレンとポリエチレンとの複合繊維が強度の面から好ましい。本実施の形態では、ポリプロピレン短繊維からなる大略的に四角形状の不織布を用いて形成する。
【００２９】
裏面シート４は、可撓性かつ液不透過性のシートなどを用いて形成することができる。具体的には、裏面シート４は、ポリエチレンなどの液不透過性フィルム、液体不透過性フィルムと不織布あるいは織布を貼り合わせた素材などを用いて形成することができる。また、液体を透過させない程度の多数の微孔を設けたポリエチレン製フィルム、熱可塑性樹脂にフィラーを加えて延伸した透湿性のあるフィルム、あるいはこれらのフィルムの外側に不織布、織布を貼り合わせた複合シートを用いて裏面シート４を形成してもよい。このような複合シートを用いて裏面シート４を形成すると、男性用尿吸収具１内部に保持される余分な水分が放出されるので、装着後の収納空間１７内のムレを防ぐことができ、快適に装着することができる。本実施の形態では、たとえばポリエチレンなどの、大略的に四角形状の合成樹脂製シートが用いられる。裏面シートは、基材６の短辺方向Ｙの他側部１３の周縁部３、具体的には吸収具他側部１４で折返され、吸収体５よりも表面シート２側に位置する。
【００３０】
吸収体５は、たとえば綿状粉砕されたフラッフ状繊維１６と、尿を吸収しゲル状に固化させる吸収性ポリマ２０とが混合された材料をシート状に形成し、厚み方向上方および下方からティッシュ１９で挟むことによって形成される。吸収性ポリマ２０は、たとえばデンプン‐アクリル酸（塩）グラフト共重合体のケン化物、ナトリウムカルボキシメチルセルロースの架橋物、アクリル酸（塩）重合体などを用いることできる。吸収体５は、男性用尿吸収具１内部で、表面シート２および裏面シート４とほぼ全面にわたって接触する。
【００３１】
本実施形態の男性用尿吸収具１には、さらに、陰部への装着時に、陰部に対する位置ずれを防止する目的で、着衣、たとえば下着に着脱自在に貼着するための貼着手段２１が裏面シート４に設けられる。貼着手段２１は、貼着可能であれば、その形状などの構成は限定されるものではなく、たとえばホットメルトテープなどを用いることができる。本実施の形態では、貼着手段２１は、具体的には２つの粘着テープ２２と、各粘着テープ２２に剥離可能に、かつ共通に貼着されて各粘着テープ２２を保護するための離型シート２３とを有する。本実施の形態では、粘着テープ２２は、接合部９を挟んで対称な位置に設けられる。
【００３２】
接合部９は、たとえばホットメルト接着剤を塗布して加圧溶着することによって形成される。本実施形態では、接合部９は、熱シールによって上部１１から下部１２にわたって連続して形成される。
【００３３】
基材６は、表面シート２と裏面シート４とが厚み方向と交差する方向に相互にずれないように、厚み方向と一致するように配置されるとともに、吸収体５に対して、長辺方向Ｘの両側部１０および短辺方向Ｙの一側部８の周縁部３が周方向全周にわたって、ほぼ均一な幅で外方に突出するように積重されてなる。また短辺方向Ｙの他側部１３の周縁部３は、裏面シート４が基材６の厚み方向一方側から他方側に折返される。
【００３４】
このように表面シート２、吸収体５および裏面シート４が積重された状態で、外方に突出した周縁部３および短辺方向Ｙの他側部１３の周縁部３が、たとえば熱シールやホットメルト接着によって接合され、吸収体５を表面シート２および裏面シート４によって内包して基材６が形成される。
【００３５】
基材６は、具体的には長辺方向Ｘの長さＬ１が２５ｃｍ以上、３５ｃｍ以下であって、短辺方向Ｙの長さＬ２が１２ｃｍ以上、２０ｃｍ以下の長方形状に形成される。また基材６の短辺方向Ｙの長さＬ２は、長辺方向Ｘの長さＬ１の３分の２以下であって、２分の１以上であることが好ましい。基材６の短辺方向Ｙの長さＬ２が、長辺方向Ｘの長さＬ１の３分の２を越えると、男性用尿吸収具１を形成した場合に、吸収具他側部１４が男性用尿吸収具１の装着時の邪魔になるおそれがあり、また２分の１未満であると、陰茎が収納空間１７から離脱するおそれがある。したがって、基材６の短辺方向の長さＬ２が、長辺方向の長さＬ１の３分の２以下であって、２分の１以上であれば、装着時に邪魔にならず、使用者が快適に装着することができ、また装着時に陰茎が収納空間１７から離脱することを防ぐことができるので、確実に尿漏れを防止することができる。
【００３６】
図４は、図３の切断面線Ａ−Ａから見た断面を示す図である。図５は、図３の切断面線Ｂ−Ｂから見た断面を示す図である。短辺方向Ｙの一側部８では、表面シート２と裏面シート４とは、吸収体５の短手方向一端部４０から突出した位置で接合される。これによって、男性用尿吸収具１の接合部９を形成するときに、接合部９を形成するための糊しろ部２４が形成される。したがって接合部９を形成する作業が容易になる。また糊しろ部２４には、表面シート２と、裏面シート４との間に吸収体５が介在していないので、男性用尿吸収具１を装着したときに、接合部９が嵩張ることを防ぐことができる。
【００３７】
また基材６の短辺方向Ｙの他側部１３では、裏面シート４の、吸収体５の一端部４０から突出する側とは反対側の端部４１は、表面シート２側に向って、吸収体５の厚み方向に延びて、吸収体５の短手方向他端部４２を覆い、さらに基材６の一側部８側に向って延び、表面シート２と重なる。基材の他側部１３側の周縁部３では、この表面シート２と、裏面シート４が重なる領域で、表面シート２と裏面シート４とが、たとえば熱シールによって接合される。
【００３８】
また基材６の長辺方向Ｘの両側部１０では、表面シート２と、裏面シート４とが吸収体５の長手方向両端部４３よりも突出した位置で接合され、表面シート２と、裏面シート４とが吸収体５の端部から長辺方向Ｘに延在する。これによって男性用尿吸収具１を形成したときに、上部１１に表面シート２と裏面シート４のみからなる舌部２５が形成される。
【００３９】
図６は、円錐状に広げた状態の男性用尿吸収具１を示す正面図である。本実施形態の男性用尿吸収具は、円形の仮想底面２６を有する円錐形状に広げることができる。円錐状に広げ、平面的に見た場合の男性用尿吸収具の頂点１８を挟む２辺が成す角度θは、基材６の短辺方向Ｙの一側部８の糊しろ部２４に形成される接合部９の位置によって任意に変更することができる。角度θは、具体的には男性用尿吸収具１を円錐形状に広げた状態で、一平面上に投影した時の頂点１８を挟む２辺が成す角度である。
【００４０】
たとえば使用者が痩身である場合は、角度θを小さくし、太身である場合は、角度θを大きくすることによって、使用者の鼠径部に合わせて変更することができる。本実施の形態では、男性用尿吸収具１を円錐状に広げて、平面的に見た場合、頂点１８の角度が４５°以上、７０°以下であることが好ましい。頂点１８の角度が４５°未満であると、収納空間１７が狭くなり、陰茎および陰嚢を含む陰部全体を包み込むように保持することができない場合がある。頂点１８の角度が７０°を超えると、男性用尿吸収具１を装着した場合に使用者の鼠径部を越えてが使用者の大腿部に干渉する場合がある。したがって、４５°以上、７０°以下であれば陰部全体を包み込むように、確実に保持することができ、また大腿部に干渉しないので、歩行時などに邪魔にならず快適に装着することができる。本実施形態の男性用尿吸収具１は、角度θはたとえば６０°に形成される。
【００４１】
図７は、使用状態を説明するための男性用尿吸収具１の背面図である。図８は、男性用尿吸収具１の使用状態を説明するための図である。図８（ａ）は、男性用尿吸収具１を装着した状態を示す正面図である。図８（ｂ）は、男性用尿吸収具１を装着し、さらに着衣２７を着用した状態を示す正面図である。
【００４２】
男性用尿吸収具１は、図７に示すように、開口１５を広げた状態で、上部１１を使用者の頭側である上方、頂点１８を使用者の足側である下方に向け、表面シート２を使用者の肌側に対向させて、陰茎および陰嚢を含む陰部を包み込むように収納空間１７に収めて装着する。このとき、図８（ａ）に示すように、男性用吸収具１が、略三角形状になるように、変形させて装着する。また本実施形態の男性用排尿吸収具１は、図８（ｂ）に示すように、男性用尿吸収具１を装着した状態で、さらに着衣２７、たとえば下着などを着用する。男性用尿吸収具１は、接合部９が着衣２７側に対向するように装着される。このとき、粘着テープ２２を着衣２７の肌側表面に貼着する。このように装着された状態で、男性用尿吸収具１は、排泄された尿を、表面シート２を通して、内部に透過させることができる。内部に透過した尿は、吸収体５に導かれ、この吸収体５で吸収性ポリマ２０によって、ゼリー状に凝固され、逆戻りしないように吸収体５に保持される。このようにして、男性用尿吸収具１は、尿を吸収することができる。
【００４３】
男性用尿吸収具１は、略三角形状に変形し、使用者の鼠径部４５に沿った状態で装着できる。したがってたとえば歩行時などに大腿部４６の動きに干渉しないので、男性用尿吸収具１が邪魔になることがなく、また大腿部４６の動きによる位置ずれを防ぐことができる。また陰茎が膨大し、万一収納空間１７から離脱した場合であっても、開口１５が大きく形成されているので、弛緩時に再び収納空間１７に容易に収納することができる。さらに本実施形態の男性用尿吸収具１は、開口１５によって陰茎が拘束される構成ではないので、装着時に陰茎が膨大弛緩した場合であっても使用者が不快に感じることを防ぐことができ、快適に使用することができる。また接合部９が使用者の肌に触れないので、装着時の肌触りが良好である。
【００４４】
また男性用尿吸収具１の上部１１には、表面シート２と、裏面シート４のみからなる舌部２５が形成され、男性用尿吸収具１を装着したときに、使用者の下腹部４７に接する上部１１が良好な可撓性を有する。したがってたとえば使用者の姿勢の変化に伴う下腹部４７の動きにしたがって、上部１が良好に撓むことができるので、下腹部４７の動きに起因する男性用排尿吸収具１の位置ずれを防ぐことができる。
【００４５】
本実施形態の男性用尿吸収具１によれば、男性用尿吸収具１は、基材６を長辺方向Ｘ中央部７で表面シート２を内側として折返し、かつ短辺方向Ｙの一側部８が互いに対向して接合することによって形成される。これによって男性用尿吸収具１は、上部１１および吸収具他側部１４とで囲まれる開口１５が形成され、表面シート２に囲まれる陰部を収納空間１７を有する袋状に形成される。男性用尿吸収具１は、可撓性を有する材料で形成されているので、接合部９と、下部１２とが交差する点を頂点とする円錐状に変形することができる。これによって男性用尿吸収具１の開口１５を広くすることができる。したがって開口１５から陰茎および陰嚢を含む陰部全体を包みこむように男性用尿吸収具１の収納空間１７に収納することができる。このように大きな開口１５を有し陰茎および陰嚢全体を包む構成であるので、陰茎の大きさに係らず確実に装着することができる。
【００４６】
また装着時に陰茎などの大きさに合わせた開口１５のサイズ調整の必要がないので、容易に装着することができ、また容易に取外すことができ、高い利便性を有する。
【００４７】
また本実施形態の男性用尿吸収具１によれば、男性用尿吸収具１を装着したときに使用者の着衣２７に接する裏面シートに貼着手段２１が設けられる。したがって着衣２７、たとえば下着などに男性用尿吸収具１を貼付けることができるので、男性用尿吸収具１の装着位置からの位置ずれを防ぐことができる。
【００４８】
また本実施形態の男性用尿吸収具１によれば、液不透過性の裏面シート４が基材６の短辺方向の他側部１３の周縁部３で折返され、吸収体５よりも表面シート２側に位置する。これによって基材６を用いて男性用尿吸収具１を形成すると、裏面シート４が吸収具他側部１４で、収納空間１７内方に巻込まれるように設けられる。したがって吸収体５に保持された尿が、たとえば重力によって、開口１５を形成する吸収具他側部１４側に移動した場合であっても、液不透過性の裏面シート４の間に介在する吸収体５に保持される。これによって一旦吸収された尿が男性用尿吸収具１の開口１５から漏出ることを防ぐことができる。
【００４９】
また吸収具他側部１４の装着時に使用者の肌に当接部分は、吸収体５が裏面シート４で覆われている。したがって吸収具他側部１４の吸収体５に尿が保持されている場合であっても、尿を保持した吸収体５が直接使用者の肌に触れないので、快適に装着することができる。
【００５０】
また本実形態の男性用尿吸収具１によれば、吸収性ポリマ２０が吸収体５に吸収された尿をゲル状に凝固する。したがって吸収体に吸収された尿が表面シート２へ再び染み出すことを防ぐことができる。
【００５１】
また本実施形態の男性用尿吸収具１によれば、装着時に下部１２と、接合部９とが交差する点を頂点１８とする三角形状に折畳んだときに、吸収具他側部１４が上部１１よりも頂点１８に向って退避する。したがって吸収具他側部１４に邪魔されることなく、確実に陰部全体を収納空間１７に収納することができる。
【００５２】
図９は、男性用尿吸収具１の製造方法の手順を示すフローチャートである。図１０は、男性用尿吸収具１の製造装置を簡略化して示す図である。図１１は、折返し工程および基材接合工程を説明するための図である。図１１（ａ）は、折返し作業を説明するための図である。図１１（ｂ）は、基材接合作業を説明するための図である。
【００５３】
本実施形態の男性用尿吸収具１の製造方法は、吸収体形成工程と、基材形成工程と、貼着手段着設工程と、基材折返し工程と、基材接合工程とを含む。
【００５４】
ステップＳ１では、吸収体５を形成する吸収体形成工程を実行する。吸収体形成工程では、帯状の２枚のティッシュ１９の間に、フラッフ状繊維１６と、吸収性ポリマ２０とが混合された材料を介在させ、予め定める大きさに裁断する。
【００５５】
具体的には、第１ティッシュロール２８から帯状のティッシュ１９が供給され、図示しない搬送ローラによって搬送経路に沿う搬送方向Ａに搬送される。第１ティッシュロール２８の搬送方向Ｄ下流側で、ホッパ２９からティッシュ１９上にフラッフ状繊維１６および吸収性ポリマ２０が供給される。このとき第１ティッシュロール２８から供給されるティッシュ１９の面方向に略均一になるようにフラッフ状繊維１６および吸収性ポリマ２０が供給される。
【００５６】
ホッパ２９の搬送方向Ａ下流側で、第２ティッシュロール３０から、フラッフ状繊維１６および吸収性ポリマ２０を上方から覆うように、帯状のティッシュ１９が供給される。さらに、搬送方向に垂直な方向両側からフラッフ状繊維１６および吸収性ポリマ２０が帯状のティッシュ１９で挟まれた状態で搬送され、第２ティッシュロール３０の搬送方向Ｄ下流側の裁断機３１によって所定の大きさに裁断され、吸収体５が形成される。吸収体５が形成されると、ステップＳ１からステップＳ２に移行する。
【００５７】
ステップＳ２では、基材６を形成する基材形成工程を実行する。基材形成工程では、ステップＳ１で形成された吸収体５を帯状の表面シート２と、裏面シート４との間に介在させ、裏面シートの幅方向の一側部を巻込むように折返す。さらに表面シート２と裏面シート４とを周縁部３で接合し、予め定める大きさに裁断する。
【００５８】
具体的には、裁断機３１の搬送方向Ｄの下流側の合成樹脂製シート巻回された第１原反ロール３２から、吸収体５を上方から覆うように、吸収体５よりも少し大きい幅の裏面シート４の原反３３が供給される。このとき裏面シート４の原反３３の幅方向の一側部は、上方から下方にむかって、吸収体５を巻込むように折返される。
【００５９】
また第１原反ロール３２の搬送方向Ｄ下流側の不織布が巻回される第２原反ロール３４から、吸収体５を下方から覆うように、吸収体５よりも少し大きい幅の表面シート２の原反３５が供給される。これら裏面シート４の原反３３、吸収体５および表面シート２の原反３５が積重されると、熱融着裁断機３６によって表面シート２の原反３５と裏面シート４の原反３３とを幅方向の周縁部で熱融着する。
【００６０】
さらに搬送方向Ｄに間隔を開けて載置されている各吸収体５の間で、表面シート２の原反３５と、裏面シート４の原反３３とを熱融着し、熱融着される領域において裁断され、基材６が形成される。基材６が形成されると、載置台３７に基材６が載置され、ステップＳ３に移行する。
【００６１】
ステップＳ３では、貼着手段２１を設ける貼着手段着設工程を実行する。貼着手段着設工程では、基材６の裏面シート４の予め定める位置に貼着手段２１を着設する。具体的には、粘着テープ２２が巻回されたテープリール３８から供給される粘着テープ２２を基材６の裏面シートの予め定める位置に着設する。詳細には、基材６の長辺方向中央部７を挟んで対称な位置に２つの粘着テープ２２を着設する。粘着テープ２２を裏面シートに設けると、ステップＳ４に移行する。
【００６２】
ステップＳ４では、基材６を中央部で折返し、基材６の一側部８を互いに対向させる基材折返し工程を実行する。具体的には、図１１（ａ）に示すように、基材６長手方向Ｘの中央部７で基材６を折返す。基材６の折返しには、たとえばプッシャーなどの折り機３９を用いることができる。具体的には、折り機３９を用いて、載置台３７に載置した基材６の長辺方向Ｘ中央部７を、載置台３７の下部に配設した折り機３９の昇降体５１の上昇動作により隆起させることによって、長辺方向Ｘ両端部１０が互いに近接する方向に、略Ｖ字状に屈曲させて、中央部７で折返す。基材６を中央部７で折返すとステップＳ５に移行する。
【００６３】
ステップＳ５では、対向する基材６の一側部８を互いに接合する基材接合工程を実行する。具体的には、基材折返し工程で折返された基材６の対向する一側部８を、図１１（ｂ）に示すように、熱融着機４８を用いて、熱シールすることによって互いに接合させる。また基材６の一側部８の接合は、たとえばホットメルト接着であってもよい。ホットメルト接着の場合は、加熱プレートによって、一側部８をホットメルト接着剤が塗布された状態で押圧し、これによって対向する基材６の一側部８を互いに接合させる。
【００６４】
このように本実施形態の男性用尿吸収具１の製造方法によれば、基材６を表面シートを内側として、長辺方向Ｘの中央部で、２つ折りにし、短辺方向Ｙの一側部８を接合させるという簡易な作業で製造することができる。したがって上述の優れた効果を有する男性用尿吸収具１を低コストで実現することができる。
【００６５】
図１２は、本発明の実施の他の形態の男性用尿吸収具１Ａを示す部分破断背面図である。男性用尿吸収具１Ａは、男性用尿吸収具１と類似しており、対応する構成には同一の符号を付し、異なる構成についてだけ説明する。男性用尿吸収具１Ａの表面シート２には、基材６の接合される短辺方向Ｙの一側部８とは反対側の他側部１３の周縁部３から起立するギャザー５０が設けられる。これによって男性用尿吸収具１Ａの吸収具他側部１４に、ギャザー５０が設けられる。具体的には、ギャザー５０は、上部１１に連なる吸収具他側部１４の両端部に連なり、吸収具他側部１４から起立するように設けられる。
【００６６】
より詳細に述べると、ギャザー５０は、一方の側縁５０ａが裏面シート４に固定されており、他方の側縁５０ｂは、裏面シート４から露出する。この他方の側縁５０ｂには、ギャザー５０形成用の弾性部材が該他方の側縁５０ｂに沿って伸長された状態で配設固定されており、ギャザー５０形成用の弾性部材の収縮によって、裏面シート４から露出した部分が起立する。ギャザー５０の弾性部材としては、従来より使い捨ておむつのギャザーを形成する部材として用いられているものを特に制限なく用いることができる。
【００６７】
ギャザー５０として、たとえば不織布、織布、多孔性プラスチックフィルム、または液不透過性のフィルム、またはこれらの貼り合わせなどを用いることができる。本実施形態では、ポリエステルとポリエステルとの複合繊維、ポリエステルとポリエチレンとの複合繊維、ポリプロピレンとポリエチレンとの複合繊維からなる不織布を用いてギャザー５０を形成する。
【００６８】
本実施形態の男性用尿吸収具１Ａによれば、表面シート１には、吸収具他側部１４には、ギャザー５０が設けられるので、男性用尿吸収具１Ａを装着時に尿が排泄された場合に、尿はギャザー５０によって開口１５付近で堰止められる。これによって排泄直後の吸収体５に吸収されていない尿が開口１５から漏出ることを防止することができる。
【図面の簡単な説明】
【００６９】
【図１】本発明の実施の一形態の男性用尿吸収具１を示す部分破断斜視図である。
【図２】折畳んだ状態の男性用尿吸収具１を示す正面図である。
【図３】男性用尿吸収具１の基材６を示す正面図である。
【図４】図３の切断面線Ａ−Ａから見た断面を示す図である。
【図５】図３の切断面線Ｂ−Ｂから見た断面を示す図である。
【図６】円錐状に広げた状態の男性用尿吸収具１を示す正面図である。
【図７】使用状態を説明するための男性用尿吸収具１の背面図である。
【図８】男性用尿吸収具１の使用状態を説明するための図である。
【図９】男性用尿吸収具１の製造の手順を示すフローチャートである。
【図１０】男性用尿吸収具１の製造装置を簡略化して示す図である。
【図１１】折返し工程および基材接合工程を説明するための図である。
【図１２】本発明の実施の他の形態の男性用尿吸収具１Ａを示す部分破断背面図である。
【図１３】従来の男性用尿吸収具１０１を示す斜視図である。
【符号の説明】
【００７０】
１，１Ａ  男性用尿吸収具
２  表面シート
３  周縁部
４  裏面シート
５  吸収体
６  基材
７  中央部
９  接合部
１６  フラッフ状繊維
２０  吸収性ポリマ
２１  貼着手段
５０  ギャザー
【図１】
2007159663.tif 000003
【図２】
2007159663.tif 000004
【図３】
2007159663.tif 000005
【図４】
2007159663.tif 000006
【図５】
2007159663.tif 000007
【図６】
2007159663.tif 000008
【図７】
2007159663.tif 000009
【図８】
2007159663.tif 000010
【図９】
2007159663.tif 000011
【図１０】
2007159663.tif 000012
【図１１】
2007159663.tif 000013
【図１２】
2007159663.tif 000014
【図１３】
2007159663.tif 000015